(57)【特許請求の範囲】
【請求項１】
組方向および列方向に沿って配列された複数の端子台ネジを備えた端子台に取り外し可能に取り付けられる端子カバーであって、
平板状の部材の対向する一対の両辺の先端部分を前記端子台に引っかけて固定するように、当該両辺の先端部分を同じ方向に屈曲させた固定部と、
前記複数の端子台ネジのうちの一部の端子台ネジが露出するように切り欠かれた切り欠きと、
を備え、
前記切り欠きは、連続する二列分の端子台ネジが露出する幅を有し、当該切り欠きの露出する部分の幅方向の中心付近に仕切り部材を備えることを特徴とする端子カバー。
【請求項２】
組方向および列方向に沿って配列された複数の端子台ネジを備えた端子台に取り外し可能に取り付けられ、前記複数の端子台ネジのうち、一部の端子台ネジが露出するように切り欠かれた切り欠きの位置が組方向および列方向において異なる複数種類の端子カバーと、
前記端子台に取り外し可能に取り付けられ、前記切り欠きが設けられていない端子カバーと、
のうち少なくとも一部の端子カバーであって、平板状の部材の対向する一対の両辺の先端部分を同じ方向に屈曲させた固定部を備えた端子カバーを用いて、
前記端子カバーの前記固定部を前記端子台に引っかけて固定し、前記複数の端子台ネジのうち、試験に関与しない端子台ネジを覆った状態で、当該試験をおこなうことを特徴とする試験方法。
【発明の詳細な説明】
【技術分野】
【０００１】
この発明は、端子台に取り付ける端子カバーおよび試験方法に関する。
【背景技術】
【０００２】
警報試験に際しては、端子台における複数の端子のうち、警報試験の対象となる端子にヒューズクリップを接続することによって警報回路を構成し、警報試験を実施している。このような警報試験に際しては、短絡およびミストリップを回避するため、端子台における複数の端子のうち、警報試験の対象となる端子のみを開放し、残余の端子はビニルテープで養生するようにしていた。
【０００３】
関連する技術として、従来、警報試験などに際して、端子台において誤った端子にヒューズクリップを接続することによる短絡およびミストリップを回避するための各種の技術があった（たとえば、下記特許文献１〜９を参照。）。
【先行技術文献】
【特許文献】
【０００４】
【特許文献１】特開２０１０−１５９９９１号公報
【特許文献２】特開２０１０−２１０５８１号公報
【特許文献３】特開２０１０−２１８９４７号公報
【特許文献４】特開２０１１−１８１４３４号公報
【特許文献５】特開２００８−４１４２３号公報
【特許文献６】特開２０１２−１２９０６７号公報
【特許文献７】特開平９−２４５８５４号公報
【特許文献８】特開２０１２−５７９５８号公報
【特許文献９】実開平４−１８９７１号公報
【発明の概要】
【発明が解決しようとする課題】
【０００５】
しかしながら、上述した従来の技術は、たとえば、端子台に対する端子カバーの取り付けや取り外しが煩雑であったり、配線の接続や取り外しにかかる手間が多いために警報試験などの試験にかかる負担が大きくなったりして、実用的でないという問題があった。また、上述した従来の技術は、たとえば、端子カバーの取り付けに広いスペースが必要であったり構成が複雑であったりするため、作業環境によっては利用することができない、あるいは、利用するために多大な労力を要し、実用的でないという問題があった。
【０００６】
このように、上述した従来の技術は、本来目的としている試験のために端子ネジを端子ボックスに締め込んだりリード線を固定したりするなどの作業の前の段階の作業に手間がかかり、煩わしいという問題があった。また、上述した従来の技術は、たとえば、大型化や複雑化にともない設置や製造にかかるコストが増加し、また、使用できる作業環境が制限されるため実用的でないという問題があった。
【０００７】
この発明は、上述した従来技術による問題点を解消するため、作業環境にかかわらず、端子ネジを容易かつ確実に端子ボックスに締め込むとともに、リード線を確実に固定することができる端子カバーおよび試験方法を提供することを目的とする。
【課題を解決するための手段】
【０００８】
上述した課題を解決し、目的を達成するため、この発明にかかる端子カバーは、組方向および列方向に沿って配列された複数の端子台ネジを備えた端子台に取り外し可能に取り付けられ、前記複数の端子台ネジのうち、一部の端子台ネジが露出するように切り欠かれた切り欠きを備えたことを特徴とする。
【０００９】
また、この発明にかかる試験方法は、組方向および列方向に沿って配列された複数の端子台ネジを備えた端子台に取り外し可能に取り付けられ、前記複数の端子台ネジのうち、一部の端子台ネジが露出するように切り欠かれた切り欠きの位置が組方向および列方向において異なる複数種類の端子カバーと、前記端子台に取り外し可能に取り付けられ、前記切り欠きが設けられていない端子カバーと、のうち少なくとも一部の端子カバーを用いて、前記複数の端子台ネジのうち、試験に関与しない端子台ネジを覆った状態で、当該試験をおこなうことを特徴とする。
【発明の効果】
【００１０】
この発明にかかる端子カバーおよび試験方法によれば、作業環境にかかわらず、端子ネジを容易かつ確実に端子ボックスに締め込むとともに、リード線を確実に固定することができるという効果を奏する。
【図面の簡単な説明】
【００１１】
【図１】端子台を示す説明図（その１）である。
【図２】端子台を示す説明図（その２）である。
【図３】この発明にかかる実施の形態の警報試験用端子カバーを示す説明図（その１）である。
【図４】この発明にかかる実施の形態の警報試験用端子カバーを示す説明図（その２）である。
【図５】この発明にかかる実施の形態の警報試験用端子カバーを示す説明図（その３）である。
【図６】この発明にかかる実施の形態の警報試験用端子カバーを示す説明図（その４）である。
【図７】この発明にかかる実施の形態の警報試験用端子カバーを示す説明図（その５）である。
【図８】この発明にかかる実施の形態の警報試験用端子カバーを示す説明図（その６）である。
【図９】この発明にかかる実施の形態の警報試験用端子カバーを示す説明図（その７）である。
【発明を実施するための形態】
【００１２】
以下に添付図面を参照して、この発明にかかる端子カバーおよび試験方法の好適な実施の形態を詳細に説明する。
【００１３】
（端子台の構成）
まず、この発明にかかる実施の形態の警報試験用端子カバーを使用する端子台について説明する。図１および図２は、端子台を示す説明図である。図１においては配電盤が備えた端子台の外観を示しており、図２においては備えた端子台の断面を示している。
【００１４】
図１および図２において、端子台１００は、複数の端子台ネジ１０１を備えている。端子台１００は、たとえば、送電網から電力（電気）を受電し、受電した電力を需要設備に供給する配電盤に設けられる。複数の端子台ネジ１０１は、通常状態（警報試験などをおこなわないとき）は、プラスチック製のカバー（端子カバー）１０２によって覆われている。
【００１５】
カバー１０２は、端子台１００に対して取り外し可能に設けられている。カバー１０２は、端子台１００に取り付けられた複数の端子台ネジ１０１を端子台１００の正面側から覆うようにして端子台１００に取り付けられる。カバー１０２は、端子台１００に取り付けられた場合に、端子台１００の側方を開放する。
【００１６】
端子台１００には、配電盤の内側用の配線（盤内配線）１０３に接続された複数の端子台ネジ１０１と、配電盤の外側用の配線（盤外配線）１０４に接続された複数の端子台ネジ１０１と、が設けられている。配電盤は屋内に設けられる場合もあり、屋外に設けられる場合もある。
【００１７】
端子台１００において、端子台１００に設けられた複数の端子台ネジ１０１のうち、盤内配線１０３に接続される端子台ネジ１０１（端子台ネジ１０１ａ）と、盤外配線１０４に接続される端子台ネジ１０１（端子台ネジ１０１ｂ）とは、それぞれ、直線状に一列に配列されている。端子台１００は、たとえば、各端子台ネジ１０１ａ、１０１ｂがなす列が、上下（鉛直）方向に延びるような状態で設置して使用される。
【００１８】
端子台１００において、端子台ネジ１０１ａがなす列と端子台ネジ１０１ｂがなす列とは、各列を形成する端子台ネジ１０１ａ、１０１ｂが、１つずつ対をなして隣り合わせた状態で配置されている。これにより、端子台１００においては、１つずつの端子台ネジ１０１ａ、１０１ｂによって構成される組が、端子台ネジ１０１ａ、１０１ｂの列方向に沿って直線状に一列に配列されている。
【００１９】
端子台１００において、上下方向に配列される端子台ネジ１０１の数は、たとえば上下方向における端子台１００の寸法などにしたがって決定することができる。端子台１００において、上下方向に配列される端子台ネジ１０１の数は、特定の個数に限定されるものではなく、適宜設定することができる。
【００２０】
また、上記のカバー１０２の長さは、端子台１００の、端子台ネジ１０１ａ、１０１ｂの列方向における長さに応じて適宜設定することができ、たとえば１０列（端子台ネジ１０１ａ、１０１ｂによって構成される組を１０組分）程度の端子台ネジ１０１を覆う長さとすることができる。カバー１０２の長さは、１０列に限るものではなく、３列であってもよく、５列であってもよく、任意の長さとすることができる。
【００２１】
左右（水平）方向において隣り合って配置された端子台ネジ１０１ａと端子台ネジ１０１ｂ、すなわち組をなす端子台ネジ１０１ａと端子台ネジ１０１ｂとは、それぞれ、導電板１１０に螺合されている。導電板１１０は、導電性を有する材料を板状に成型した部材であって、たとえば金属材料を用いて形成されている。これにより、左右（水平）方向において隣り合って配置された、端子台ネジ１０１ａと端子台ネジ１０１ｂとは、導電板１１０を介して電気的に接続されている。
【００２２】
図３、図４、図５および図６は、この発明にかかる実施の形態の警報試験用端子カバーを示す説明図である。図３、図４、図５および図６において、この発明にかかる実施の形態の警報試験用端子カバー３００、４００、５００、６００は、上記のカバー１０２と同様に、端子台１００に対して、正面側から取り外し可能に取り付けることができる。警報試験用端子カバー３００、４００、５００、６００は、たとえば、アクリルなどの樹脂を用いて形成することができる。警報試験用端子カバー３００、４００、５００、６００は、この発明にかかる端子カバーを実現する。
【００２３】
端子台１００の長さ方向に平行な方向において、警報試験用端子カバー３００、４００、５００、６００の寸法は、カバー１０２の寸法よりも短い。具体的には、たとえば、カバー１０２が、１０列程度の端子台ネジ１０１（１０１ａ、１０１ｂ）を覆うものであることに対し、警報試験用端子カバーは、２列から５列程度の端子台ネジ１０１（１０１ａ、１０１ｂ）を覆うものであることが好ましい。
【００２４】
警報試験用端子カバー３００、４００、５００、６００は、組方向（導電板１１０の長さ方向）および列方向において、一部の端子台ネジ１０１が露出するように切り欠かれた切り欠きを備えている。警報試験用端子カバー３００、４００、５００、６００は、切り欠きを備えることにより、いわゆる「歯抜け」形状をなす。警報試験用端子カバー３００、４００、５００、６００は、切り欠きの位置に応じて、図３、図４、図５および図６に示すように複数パターンの形状とすることができる。
【００２５】
図３においては、３列分の端子台ネジ１０１を覆う長さの警報試験用端子カバー３００であって、端子台ネジ１０１ａあるいは端子台ネジ１０１ｂの列における２列目に切り欠きが設けられた警報試験用端子カバー３００を示している。これにより、警報試験用端子カバー３００は、正面側から見た場合に略「Ｕ」字形状をなしている。
【００２６】
図４においては、５列分の端子台ネジ１０１を覆う長さの警報試験用端子カバー４００であって、端子台ネジ１０１ａあるいは端子台ネジ１０１ｂの列における２列目および４列目と、端子台ネジ１０１ｂあるいは端子台ネジ１０１ａの列における１列目と３列目と５列目と、に切り欠きが設けられた警報試験用端子カバー４００を示している。これにより、警報試験用端子カバー４００は、正面側から見た場合に略「Ｗ」字形状をなしている。図４に示した警報試験用端子カバー４００は、端子台ネジ１０１ａあるいは端子台ネジ１０１ｂの列と端子台ネジ１０１ｂあるいは端子台ネジ１０１ａの列とで互い違いに切り欠きが設けられている。
【００２７】
図５においては、３列分の端子台ネジ１０１を覆う長さの警報試験用端子カバー５００であって、端子台ネジ１０１ａあるいは端子台ネジ１０１ｂの列における２列目と、端子台ネジ１０１ｂあるいは端子台ネジ１０１ａの列における１列目と３列目と、に切り欠きが設けられた警報試験用端子カバー５００を示している。これにより、警報試験用端子カバー５００は、正面側から見た場合に略「Ｙ」字形状をなしている。図５に示した警報試験用端子カバー５００においても、図４に示した警報試験用端子カバー４００と同様に、端子台ネジ１０１ａあるいは端子台ネジ１０１ｂの列と端子台ネジ１０１ｂあるいは端子台ネジ１０１ａの列とで互い違いに切り欠きが設けられている。
【００２８】
図６においては、２列分の端子台ネジ１０１を覆う長さの警報試験用端子カバー６００であって、端子台ネジ１０１ａあるいは端子台ネジ１０１ｂの列における１列目と、端子台ネジ１０１ｂあるいは端子台ネジ１０１ａの列における２列目と、に切り欠きが設けられた警報試験用端子カバー６００を示している。これにより、警報試験用端子カバーは、正面側から見た場合に略「Ｚ」字形状をなしている。図６に示した警報試験用端子カバー６００においても、図４および図５に示した警報試験用端子カバー４００、５００と同様に、端子台ネジ１０１ａあるいは端子台ネジ１０１ｂの列と端子台ネジ１０１ｂあるいは端子台ネジ１０１ａの列とで互い違いに切り欠きが設けられている。
【００２９】
警報試験に際しては、試験対象となる端子台ネジ１０１を開放するように、カバー１０２を取り外すか、カバー１０２の位置をずらす。この状態で試験対象となる端子台ネジ１０１のみが開放されるように、警報試験用端子カバー３００、４００、５００、６００を取り付ける。このときに取り付ける警報試験用端子カバー３００、４００、５００、６００は、試験対象となる端子台ネジ１０１の位置に応じて適宜選択する。その後、取り外した、あるいはずらしたカバー１０２は、警報試験用端子カバー３００、４００、５００、６００を取り付けた後、警報試験用端子カバー３００、４００、５００、６００を取り付けた部分以外の端子台ネジ１０１がすべて覆われるように付け直してもよい。
【００３０】
これにより、警報試験に関与しない端子台ネジ１０１は、すべて、警報試験用端子カバー３００、４００、５００、６００あるいはカバー１０２によって覆うことができる。このようにして、警報試験に関与しない端子台ネジ１０１をすべて養生し、接続できる端子台ネジ１０１を限定した状態で、開放されている端子台ネジ１０１にヒューズクリップを接続し、警報試験のための警報回路を形成する。
【００３１】
端子台１００に対して警報試験用端子カバー３００、４００、５００、６００を取り付ける場合、端子台１００に対して、正面側から警報試験用端子カバー３００、４００、５００、６００を押し付ける。一方、端子台１００に取り付けられた警報試験用端子カバーを取り外す場合、警報試験用端子カバー３００、４００、５００、６００を側方から湾曲させながら、側方から捲るようにして取り外す。このように、警報試験用端子カバー３００、４００、５００、６００は、端子台１００に対して、容易に取り付けたり取り外したりすることができる。
【００３２】
図７は、この発明にかかる実施の形態の警報試験用端子カバーを示す説明図である。この発明にかかる実施の形態の警報試験用端子カバーは、適宜切り欠きを設けることにより、任意の端子台ネジ１０１を露出させることを可能にする。切り欠きを互い違いに設けた警報試験用端子カバーは、警報試験用端子カバーに対して強度が低くなっていることが想定される。
【００３３】
特に、組方向あるいは列方向において両隣の端子台ネジ１０１を覆う部分がない場合、その強度は、従来のカバー１０２と比較して低くなっていることが想定される。一方で、警報試験用端子カバーの厚みを増したり、強度を高くすると、着脱に支障を来すことが想定される。
【００３４】
図７において、警報試験用端子カバー７００は、補強材７０１を備えている。補強材７０１は、警報試験用端子カバー７００の形状に沿って設けることができる。あるいは、補強材７０１は、警報試験用端子カバー７００のうち、強度が著しく低下していると想定される箇所に設けてもよい。補強材７０１は、たとえば、金属製の針金状部材によって実現することができる。あるいは、補強材７０１は、たとえば、プラスチックなどと称される樹脂によって実現してもよい。
【００３５】
図８および図９は、この発明にかかる実施の形態の警報試験用端子カバーを示す説明図である。図９における紙面左側の図は、図８に示した警報試験用端子カバーを、図８における紙面上方から見た状態を示している。図９における紙面中央の図は、図８に示した警報試験用端子カバーを、図８における紙面手前から見た状態を示している。図９における紙面左側の図は、図８に示した警報試験用端子カバーを、図８における紙面左側から見た状態を示している。
【００３６】
図８および図９において、警報試験用端子カバー８００は、列方向において隣り合う端子台ネジ１０１に対応する部分を連続して開口させる切り欠きを備えている。また、警報試験用端子カバー８００は、隣り合う端子台ネジ１０１の双方に、誤ってヒューズクリップを接触させることを防止するための仕切り部材８０１を備えている。
【００３７】
仕切り部材８０１は、端子台１００からの立ち上がり寸法（高さ）が、ヒューズクリップの口部分の長さよりも長くなるように設けられている。これにより、誤って隣り合う端子台ネジ１０１にまたがるようにしてヒューズクリップを端子台１００に近づけた場合にも、ヒューズクリップの口が仕切り板に引っ掛かり、ヒューズクリップの先端が端子台ネジ１０１に接触することを防止できる。
【００３８】
警報試験用端子カバー３００、４００、５００、６００、７００、８００、は、着色されていてもよい。警報試験用端子カバー３００、４００、５００、６００、７００、８００を着色することにより作業者に対する注意喚起が可能となり、ヒューマンエラーの一層の防止に寄与することができる。
【００３９】
また、警報試験用端子カバー３００、４００、５００、６００、７００、８００を着色する場合、アクリルカバーの色をクリアータイプのものとすることにより、警報試験用端子カバーを端子台１００に取り付けた状態で配線番号を視認することができる。これによってもヒューマンエラーの一層の防止に寄与することができる。
【００４０】
以上説明した本発明によれば、プラス端子とマイナス端子による短絡を防止することができ、誤警報の発生を確実に防止することができる。また、本発明によれば、ミストリップによる停電の発生を防止することができる。また、本発明によれば、従来は試験後に廃棄していた養生テープを用いることがないので、廃棄物の削減を図ることができる。さらに、本発明によれば、作業に関係がない端子台ネジ１０１の露出をなくし、作業者の感電防止を図ることができる。
【産業上の利用可能性】
【００４１】
以上のように、この発明にかかる端子カバーおよび試験方法は、端子台に取り付ける端子カバーおよび試験方法に有用であり、特に、多数の端子を備え狭い空間に設置される端子台に取り付ける端子カバーおよび試験方法にに適している。
【符号の説明】
【００４２】
１００  端子台
１０１、１０１ａ、１０１ｂ  端子台ネジ
１０２、１０３  カバー
３００、４００、５００、６００、７００、８００  警報試験用端子カバー
【図１】
0006710956.tif 000002
【図２】
0006710956.tif 000003
【図３】
0006710956.tif 000004
【図４】
0006710956.tif 000005
【図５】
0006710956.tif 000006
【図６】
0006710956.tif 000007
【図７】
0006710956.tif 000008
【図８】
0006710956.tif 000009
【図９】
0006710956.tif 000010